(57)【要約】      （修正有）【課題】ある部屋のカラオケ装置で楽曲を予約した利用者が他の部屋に移動した場合に、他の部屋のカラオケ装置で同じ楽曲の予約を自動的に行うことが可能なカラオケシステムを提供する。【解決手段】カラオケシステムにおいて、一のカラオケ装置Ｋ１は、利用者の顔を撮影して得られた顔撮影データと顔画像データとを比較し、一致しない顔撮影データがある場合、一致しない顔撮影データを他のカラオケ装置Ｋ２に送信する。他のカラオケ装置Ｋ２は、顔撮影データを受信した場合、当該顔撮影データと一致する顔画像データが記憶されているかどうかを判断し、一致する顔画像データが記憶されている場合、当該顔画像データに対応したある利用者が楽曲の予約を取り消し、且つ、当該楽曲の予約情報を送信する。一のカラオケ装置Ｋ１の予約処理部は、他のカラオケ装置Ｋ２の予約処理部が送信した予約情報に基づいて楽曲の予約を行う。【選択図】図７
2019191482.tif 000002
【特許請求の範囲】
【請求項１】
複数のカラオケ装置を有するカラオケシステムであって、
各カラオケ装置は、
利用者がカラオケシステムにログインする処理を行うログイン処理部と、
利用者の利用者識別情報と、当該利用者の顔画像データとを含む利用者情報を記憶するデータ記憶部と、
カラオケ歌唱を希望する楽曲の楽曲識別情報と、当該楽曲のカラオケ歌唱を希望する利用者の利用者識別情報とを含む予約情報を予約待ち行列に登録することにより、楽曲の予約を行う予約処理部と、
を有し、
一のカラオケ装置は、
前記一のカラオケ装置が設置される部屋に在席する利用者の顔を撮影して得られた顔撮影データと前記データ記憶部に記憶されている顔画像データとを比較し、前記データ記憶部に記憶されている顔画像データと一致しない顔撮影データがある場合、一致しない顔撮影データを他のカラオケ装置に送信するデータ送信部を有し、
他のカラオケ装置は、
前記一のカラオケ装置から前記顔撮影データを受信した場合、前記データ記憶部に当該顔撮影データと一致する顔画像データが記憶されているかどうかを判断する判断部と、
一致する顔画像データが記憶されている場合、当該顔画像データに対応したある利用者が楽曲の予約を行っているかを確認する予約確認部と、
を有し、
前記他のカラオケ装置の予約処理部は、前記ある利用者が楽曲の予約を行っている場合、当該ある利用者が行った楽曲の予約を取り消し、且つ前記顔撮影データを送信した一のカラオケ装置に対して、当該楽曲の予約情報を送信し、
前記一のカラオケ装置の予約処理部は、
前記他のカラオケ装置の予約処理部が送信した予約情報に基づいて楽曲の予約を行うカラオケシステム。
【請求項２】
前記他のカラオケ装置のログイン処理部は、前記他のカラオケ装置の予約処理部が前記予約情報を送信する際に、当該予約情報に含まれる利用者識別情報に対応する利用者をカラオケシステムからログアウトさせる処理を行うことを特徴とする請求項１記載のカラオケシステム。
【請求項３】
前記一のカラオケ装置のログイン処理部は、前記一のカラオケ装置の予約処理部が前記予約情報を受信した際に、当該予約情報に含まれる利用者識別情報に対応する利用者をカラオケシステムにログインさせる処理を行うことを特徴とする請求項２記載のカラオケシステム。
【発明の詳細な説明】
【技術分野】
【０００１】
本発明はカラオケシステムに関する。
【背景技術】
【０００２】
大人数のグループでカラオケ店舗を利用する場合、店舗の規模や、部屋の利用状況によっては、いくつかの部屋に分かれてカラオケ歌唱を行うことがある。
【０００３】
このような場合、ある部屋に在席する利用者が途中で別の部屋に移動したり、利用者同士が部屋を入れ替わることが頻繁にありうる。そのため、ある部屋のカラオケ装置で予約した楽曲がカラオケ演奏される時点で、当該楽曲を予約した利用者が部屋にいないということもありうる。この場合、他の利用者は、カラオケ演奏される楽曲を予約した利用者を探したり、カラオケ演奏を中止する操作入力を行う。一方、予約した利用者は、ある部屋のカラオケ装置で予約した楽曲と同じ楽曲を移動先のカラオケ装置で予約する操作を行わなければならない。
【０００４】
そこで、特許文献１には、ある部屋から他の部屋に移動した利用者がリモコンを操作して、ある部屋のカラオケ装置で予約した曲のリストデータの送信要求を行った場合、他の部屋のカラオケ装置が、受信したリストデータに基づく予約曲リストをモニタに表示する技術が開示されている。
【先行技術文献】
【特許文献】
【０００５】
【特許文献１】特開平１０−９１１７７号公報
【発明の概要】
【発明が解決しようとする課題】
【０００６】
しかし、特許文献１の技術によれば、他の部屋に移動した利用者がリモコンを操作し、予約された曲のリストデータの送信要求を行ったり、モニタに表示された予約曲リストの中から楽曲を選択する作業が必要となり煩雑である。また、特許文献１の技術によれば、予約曲リストをモニタに表示するため、他の利用者のカラオケ歌唱の邪魔になるという問題もある。
【０００７】
本発明の目的は、ある部屋のカラオケ装置で楽曲を予約した利用者が他の部屋に移動した場合に、他の部屋のカラオケ装置で同じ楽曲の予約を自動的に行うことが可能なカラオケシステムを提供することにある。
【課題を解決するための手段】
【０００８】
上記目的を達成するための一の発明は、複数のカラオケ装置を有するカラオケシステムであって、各カラオケ装置は、利用者がカラオケシステムにログインする処理を行うログイン処理部と、利用者の利用者識別情報と、当該利用者の顔画像データとを含む利用者情報を記憶するデータ記憶部と、カラオケ歌唱を希望する楽曲の楽曲識別情報と、当該楽曲のカラオケ歌唱を希望する利用者の利用者識別情報とを含む予約情報を予約待ち行列に登録することにより、楽曲の予約を行う予約処理部と、を有し、一のカラオケ装置は、前記一のカラオケ装置が設置される部屋に在席する利用者の顔を撮影して得られた顔撮影データと前記データ記憶部に記憶されている顔画像データとを比較し、前記データ記憶部に記憶されている顔画像データと一致しない顔撮影データがある場合、一致しない顔撮影データを他のカラオケ装置に送信するデータ送信部を有し、他のカラオケ装置は、前記一のカラオケ装置から前記顔撮影データを受信した場合、前記データ記憶部に当該顔撮影データと一致する顔画像データが記憶されているかどうかを判断する判断部と、一致する顔画像データが記憶されている場合、当該顔画像データに対応したある利用者が楽曲の予約を行っているかを確認する予約確認部を有し、前記他のカラオケ装置の予約処理部は、前記ある利用者が楽曲の予約を行っている場合、当該ある利用者が行った楽曲の予約を取り消し、且つ前記顔撮影データを送信した一のカラオケ装置に対して、当該楽曲の予約情報を送信し、前記一のカラオケ装置の予約処理部は、前記他のカラオケ装置の予約処理部が送信した予約情報に基づいて楽曲の予約を行うカラオケシステムである。
本発明の他の特徴については、後述する明細書及び図面の記載により明らかにする。
【発明の効果】
【０００９】
本発明によれば、ある部屋のカラオケ装置で楽曲を予約した利用者が他の部屋に移動した場合に、他の部屋のカラオケ装置で同じ楽曲の予約を自動的に行うことができる。
【図面の簡単な説明】
【００１０】
【図１】実施形態に係るカラオケシステムの概略を示す図である。
【図２】実施形態に係るサーバ装置のハードウェア構成例を示す図である。
【図３】サーバ装置で記憶される利用者情報の例を示す図である。
【図４】実施形態に係る一のカラオケ装置を示す図である。
【図５】実施形態に係るカラオケシステムの概略を示す図である。
【図６】実施形態に係る他のカラオケ装置を示す図である。
【図７】実施形態に係るカラオケシステムの処理を示すフローチャートである。
【図８】変形例に係るカラオケシステムの処理を示すフローチャートである。
【発明を実施するための形態】
【００１１】
＜実施形態＞
図１〜図７を参照して、実施形態に係るカラオケシステムについて説明する。
【００１２】
＝＝カラオケシステム＝＝
図１に示すように、本実施形態に係るカラオケシステム１は、カラオケ装置Ｋ１及びカラオケ装置Ｋ２を備える。カラオケ装置Ｋ１は、カラオケ店舗内の部屋Ｒ１に設置されている。カラオケ装置Ｋ２は、部屋Ｒ１とは異なる部屋Ｒ２に設置されている。各カラオケ装置は、無線ＬＡＮ等のカラオケ店舗内のネットワークを介して通信可能となっている。また、各カラオケ装置はサーバ装置ＳとネットワークＮを介して通信可能となっている。ネットワークＮは、たとえば公衆電話回線網やインターネット回線等の伝送路である。
【００１３】
各カラオケ装置は、楽曲のカラオケ演奏、及び利用者がカラオケ歌唱を行うための装置である。カラオケ装置は、利用者の歌唱音声を集音するマイク、カラオケ演奏音を放音するスピーカ、歌詞テロップ等を表示させるモニタ、カラオケ装置に対する各種操作入力を行うリモコン装置（いずれも図示なし）等を備える。カラオケ装置とリモコン装置は、予めペアリングされることで互いに通信可能となっている。ペアリングは公知の手法を利用することができる。
【００１４】
また、本実施形態に係るカラオケ装置は、撮影部Ｃを有する。撮影部Ｃは、カラオケ装置が設置されている部屋内に在席する利用者の顔を撮影し、顔撮影データを取得する。
【００１５】
ここで、図１の例では、カラオケ店舗を訪れた１０名のグループが２組に分かれて部屋Ｒ１及び部屋Ｒ２でカラオケ歌唱を行う場合を示している。具体的に、部屋Ｒ１には利用者Ｕ１〜利用者Ｕ５の５名が在席しており、部屋Ｒ２には利用者Ｕ６〜利用者Ｕ１０の５名が在席している。
【００１６】
なお、本実施形態に係るカラオケ装置Ｋ１は「一のカラオケ装置」の一例であり、カラオケ装置Ｋ２は「他のカラオケ装置」の一例である。また、図１ではカラオケ装置の数が２つの例を示していが、カラオケ装置が３つ以上であってもよい。その場合、一のカラオケ装置に対して、他のカラオケ装置が複数あることとなる。
【００１７】
＝＝サーバ装置＝＝
サーバ装置Ｓは、各カラオケ装置に関する各種情報やカラオケ装置を利用する利用者に関する情報を管理するコンピュータである。図２はサーバ装置Ｓのハードウェア構成例を示す図である。サーバ装置Ｓは、記憶部１０、通信部２０、及び制御部３０を備える。各構成はインターフェース（図示なし）を介してバスＢに接続されている。
【００１８】
記憶部１０は、各種のデータを記憶する大容量の記憶装置である。本実施形態に係る記憶部１０の記憶領域の一部は、利用者情報記憶部１０ａとして機能する。
【００１９】
利用者情報記憶部１０ａは、利用者情報を記憶する。利用者情報は、図３の例に示すように、利用者を識別するための利用者識別情報（利用者ＩＤ）、カラオケシステム１にログインする際に使用するパスワード、氏名、性別等を含む。また、本実施形態に係る利用者情報は、顔画像データを含む。顔画像データは、利用者の顔を撮影して得られる画像データである。顔画像データは、たとえば、はじめてカラオケシステム１を利用する際、カラオケ装置が備える撮影部Ｃにより利用者の顔を撮影することで得られる。
【００２０】
通信部２０は、サーバ装置Ｓと各カラオケ装置とを接続するためのインターフェースを提供する。制御部３０は、サーバ装置Ｓにおける各種の制御を行う。
【００２１】
＝＝カラオケ装置Ｋ１＝＝
図４に示すように、本実施形態に係るカラオケ装置Ｋ１は、ログイン処理部１００、データ記憶部２００、予約処理部３００、及びデータ送信部４００を有する。
【００２２】
［ログイン処理部］
ログイン処理部１００は、利用者がカラオケシステム１にログインする処理を行う。
【００２３】
図１において、利用者Ｕ１〜利用者Ｕ５は、それぞれカラオケ装置Ｋ１のリモコン装置を介して自己の利用者ＩＤ及びパスワードを入力する。ログイン処理部１００は、入力された利用者ＩＤ及びパスワードを、カラオケ装置Ｋ１の識別情報（装置ＩＤ）と関連付けてサーバ装置Ｓに送信することで、ログイン要求を行う。
【００２４】
サーバ装置Ｓは、カラオケ装置Ｋ１からのログイン要求に基づいて、受信した利用者ＩＤ及びパスワードに対応する利用者情報を利用者情報記憶部１０ａから読み出し、受信した装置ＩＤに対応するカラオケ装置Ｋ１に送信する。サーバ装置Ｓが利用者情報を送信することにより、利用者のカラオケシステム１へのログインが完了する。なお、本実施形態において、送信される利用者情報は、少なくともログイン要求を行った利用者の利用者識別情報及び当該利用者の顔画像データを含む。
【００２５】
［データ記憶部］
データ記憶部２００は利用者の利用者識別情報（利用者ＩＤ）と、当該利用者の顔画像データとを含む利用者情報を記憶する。ログイン処理部１００は、サーバ装置Ｓから受信した利用者情報をデータ記憶部２００に記憶させる。
【００２６】
［予約処理部］
予約処理部３００は、カラオケ歌唱を希望する楽曲の楽曲識別情報と、当該楽曲のカラオケ歌唱を希望する利用者の利用者識別情報とを含む予約情報を予約待ち行列に登録することにより、楽曲の予約を行う。
【００２７】
楽曲の予約を行う際、利用者は、カラオケ装置Ｋ１のリモコン装置で楽曲の検索を行い、カラオケ歌唱を希望する楽曲を選曲する。リモコン装置は、利用者が選曲した楽曲の楽曲識別情報（楽曲ＩＤ）及び選曲した利用者の利用者識別情報（利用者ＩＤ）を予約情報としてカラオケ装置Ｋ１に出力する。予約処理部３００は、当該予約情報を予約待ち行列に登録する。カラオケ装置Ｋ１は、予約待ち行列に登録された順番に楽曲のカラオケ演奏を行う。ある楽曲のカラオケ演奏が終了した場合、予約処理部３００は、当該楽曲の予約情報を予約待ち行列から削除する。なお、カラオケシステム１にログインしていない利用者（非ログイン利用者）であっても、非ログイン利用者用の利用者識別情報により、楽曲を予約することができる。
【００２８】
また、本実施形態において、予約処理部３００は、他のカラオケ装置の予約処理部が送信した予約情報に基づいて楽曲の予約を行う（詳細は後述）。
【００２９】
［データ送信部］
データ送信部４００は、カラオケ装置Ｋ１が設置される部屋Ｒ１に在席する利用者の顔を撮影して得られた顔撮影データと、データ記憶部２００に記憶されている顔画像データとを比較し、データ記憶部２００に記憶されている顔画像データと一致しない顔撮影データがある場合、一致しない顔撮影データを他のカラオケ装置に送信する。
【００３０】
図１の例において、部屋Ｒ１に在席する利用者Ｕ１〜利用者Ｕ５は、それぞれカラオケシステム１にログインをしているとする。この場合、データ記憶部２００には、利用者Ｕ１〜利用者Ｕ５の利用者情報が記憶されている。カラオケ装置Ｋ１の撮影部Ｃは、部屋Ｒ１に在席する利用者の顔を、たとえば３０秒毎といったタイミングで定期的に撮影し、顔撮影データを取得する。
【００３１】
撮影部Ｃにより顔撮影データが取得されたタイミングで、データ送信部４００は、当該顔撮影データと、データ記憶部２００に記憶されている利用者Ｕ１〜利用者Ｕ５の顔画像データを比較する。
【００３２】
たとえば、図１の状態においてカラオケ装置Ｋ１の撮影部Ｃによる撮影が行われた場合、利用者Ｕ１〜利用者Ｕ５の顔撮影データが取得される。従って、データ送信部４００は、利用者Ｕ１〜利用者Ｕ５の顔撮影データと、データ記憶部２００に記憶されている顔画像データとの比較を行う。上述の通り、この例では、データ記憶部２００に利用者Ｕ１〜利用者Ｕ５の利用者情報（顔画像データ）が記憶されている。よって、データ送信部４００は、顔撮影データとデータ記憶部２００に記憶されている顔画像データが一致するという比較結果を得ることができる。この場合、データ送信部４００は、引き続き、顔撮影データが得られたタイミングで同様の処理を実行する。
【００３３】
一方、図１の状態から、部屋Ｒ２に在席した利用者Ｕ６が部屋Ｒ１に移動したとする（図５参照）。そして、図５の状態においてカラオケ装置Ｋ１の撮影部Ｃによる撮影が行われた場合、利用者Ｕ１〜利用者Ｕ６の顔撮影データが取得される。従って、データ送信部４００は、利用者Ｕ１〜利用者Ｕ６の顔撮影データと、データ記憶部２００に記憶されている顔画像データとの比較を行う。ここで、利用者Ｕ６は、元々部屋Ｒ２に在席していた。そのため、データ記憶部２００には利用者Ｕ６の利用者情報（顔画像データ）が記憶されていない。よって、データ送信部４００は、顔撮影データとデータ記憶部２００に記憶されている顔画像データが一致しない（一致しない顔撮影データがある）という比較結果を得ることができる。この場合、データ送信部４００は、一致しない利用者（利用者Ｕ６）の顔撮影データをカラオケ装置Ｋ２に送信する。なお、他のカラオケ装置が複数ある場合、データ送信部４００は、他のカラオケ装置全てに対して、顔撮影データを送信する。
【００３４】
＝＝カラオケ装置Ｋ２＝＝
図６に示すように、本実施形態に係るカラオケ装置Ｋ２は、ログイン処理部５００、データ記憶部６００、予約処理部７００、判断部８００、及び予約確認部９００を有する。
【００３５】
［ログイン処理部・データ記憶部］
ログイン処理部５００及びデータ記憶部６００は、カラオケ装置Ｋ１のログイン処理部１００及びデータ記憶部２００と同様の機能を有する。
【００３６】
すなわち、図１において、利用者Ｕ６〜利用者Ｕ１０は、それぞれカラオケ装置Ｋ２のリモコン装置を介して自己の利用者ＩＤ及びパスワードを入力する。ログイン処理部５００は、入力された利用者ＩＤ及びパスワードを、カラオケ装置Ｋ２の識別情報（装置ＩＤ）と関連付けてサーバ装置Ｓに送信することで、ログイン要求を行う。
【００３７】
サーバ装置Ｓは、カラオケ装置Ｋ２からのログイン要求に基づいて、受信した利用者ＩＤ及びパスワードに対応する利用者情報を利用者情報記憶部１０ａから読み出し、受信した装置ＩＤに対応するカラオケ装置Ｋ２に送信する。サーバ装置Ｓが利用者情報を送信することにより、利用者のカラオケシステム１へのログインが完了する。データ記憶部６００はサーバ装置Ｓから受信した、利用者の利用者識別情報（利用者ＩＤ）と、当該利用者の顔画像データとを含む利用者情報を記憶する。
【００３８】
［予約処理部］
予約処理部７００は、カラオケ装置Ｋ１の予約処理部３００と同様、カラオケ歌唱を希望する楽曲の楽曲識別情報、及び当該楽曲のカラオケ歌唱を希望する利用者の利用者識別情報を含む予約情報を予約待ち行列に登録することにより、楽曲の予約を行う。
【００３９】
また、本実施形態において、予約処理部７００は、ある利用者が楽曲の予約を行っている場合、当該ある利用者が行った楽曲の予約を取り消し、且つ顔撮影データを送信した一のカラオケ装置に対して、当該楽曲の予約情報を送信する（詳細は後述）。
【００４０】
［判断部］
判断部８００は、一のカラオケ装置から顔撮影データを受信した場合、データ記憶部６００に当該顔撮影データと一致する顔画像データが記憶されているかどうかを判断する。
【００４１】
たとえば、カラオケ装置Ｋ１のデータ送信部４００から、利用者Ｕ６の顔撮影データを受信したとする。この場合、判断部８００は、データ記憶部６００に利用者Ｕ６の顔撮影データと一致する顔画像データが記憶されているかどうかを判断する。
【００４２】
ここで、図１及び図５の例によれば、利用者Ｕ６は部屋Ｒ１に移動する前、部屋Ｒ２に在席していた（図１参照）。従って、データ記憶部６００には利用者Ｕ６の顔画像データが記憶されている。この場合、判断部８００は、カラオケ装置Ｋ１から受信した顔撮影データと一致する顔画像データが記憶されていると判断する。
【００４３】
［予約確認部］
予約確認部９００は、一致する顔画像データが記憶されている場合、当該顔画像データに対応したある利用者が楽曲の予約を行っているかを確認する。
【００４４】
上記例において、データ記憶部６００には利用者Ｕ６の顔画像データが記憶されている。この場合、予約確認部９００は、データ記憶部６００から利用者Ｕ６の利用者ＩＤを読み出し、予約待ち行列に利用者Ｕ６の利用者ＩＤを含む予約情報が登録されているかどうかを確認する。
【００４５】
登録されている予約情報がある場合、予約確認部９００は、当該予約情報を予約処理部７００に出力する。
【００４６】
予約処理部７００は、利用者Ｕ６が行った予約情報を予約待ち行列から削除することで、カラオケ装置Ｋ２における楽曲の予約を取り消す。一方、予約処理部７００は、顔撮影データを送信したカラオケ装置Ｋ１に対して、当該楽曲の予約情報を送信する。
【００４７】
カラオケ装置Ｋ１の予約処理部３００は、予約処理部７００が送信した予約情報に基づいて利用者Ｕ６の予約情報を予約待ち行列に登録することにより、利用者Ｕ６がカラオケ装置Ｋ２で予約した楽曲をカラオケ装置Ｋ１で自動的に予約することができる。
【００４８】
＝＝カラオケシステムにおける処理について＝＝
次に、図７を参照して本実施形態に係るカラオケシステム１における処理の具体例について述べる。図７は、カラオケシステム１における処理例を示すフローチャートである。この例では、複数の利用者からなる一のグループで、部屋Ｒ１に設置されたカラオケ装置Ｋ１、及び部屋Ｒ２に設置されたカラオケ装置Ｋ２を利用する。また、各利用者は、カラオケ装置Ｋ１またはカラオケ装置Ｋ２においてログイン処理を済ませている。
【００４９】
カラオケ装置Ｋ１の撮影部Ｃは、部屋Ｒ１に在席する利用者の顔を撮影し、顔撮影データを取得する（顔撮影データの取得。ステップ１０）。
【００５０】
データ送信部４００は、ステップ１０で取得された顔撮影データと、データ記憶部２００に記憶されている顔画像データとを比較する（顔撮影データと顔画像データを比較。ステップ１１）。
【００５１】
顔画像データと一致しない顔撮影データがある場合（ステップ１２でＹの場合）、データ送信部４００は、一致しない顔撮影データをカラオケ装置Ｋ２に送信する（顔撮影データの送信。ステップ１３）。一方、顔画像データと一致しない顔撮影データがない場合（ステップ１２でＮの場合）、カラオケ装置Ｋ１は、ステップ１０〜ステップ１２の処理を繰り返し行う。
【００５２】
カラオケ装置Ｋ１から顔撮影データを受信した場合、判断部８００は、データ記憶部６００に当該顔撮影データと一致する顔画像データが記憶されているかどうかを判断する。
【００５３】
一致する顔画像データが記憶されている場合（ステップ１４でＹの場合）、予約確認部９００は、当該顔画像データに対応したある利用者が楽曲の予約を行っているかを確認する。
【００５４】
ある利用者が楽曲の予約を行っている場合（ステップ１５でＹの場合）、予約処理部７００は、当該ある利用者が行った楽曲の予約を取り消し、且つ顔撮影データを送信したカラオケ装置Ｋ１に対して、当該楽曲の予約情報を送信する（予約の取り消し及び予約情報の送信。ステップ１６）。
【００５５】
予約処理部３００は、予約処理部７００が送信した予約情報に基づいて楽曲の予約を行う（楽曲の予約。ステップ１７）。
【００５６】
以上から明らかなように、本実施形態に係るカラオケシステム１は、カラオケ装置Ｋ１及びカラオケ装置Ｋ２を有する。カラオケ装置Ｋ１は、利用者がカラオケシステム１にログインする処理を行うログイン処理部１００と、利用者の利用者識別情報と、当該利用者の顔画像データとを含む利用者情報を記憶するデータ記憶部２００と、カラオケ歌唱を希望する楽曲の楽曲識別情報と、当該楽曲のカラオケ歌唱を希望する利用者の利用者識別情報とを含む予約情報を予約待ち行列に登録することにより、楽曲の予約を行う予約処理部３００と、カラオケ装置Ｋ１が設置される部屋Ｒ１に在席する利用者の顔を撮影して得られた顔撮影データとデータ記憶部２００に記憶されている顔画像データとを比較し、データ記憶部２００に記憶されている顔画像データと一致しない顔撮影データがある場合、一致しない顔撮影データをカラオケ装置Ｋ２に送信するデータ送信部４００と、を有する。カラオケ装置Ｋ２は、利用者がカラオケシステム１にログインする処理を行うログイン処理部５００と、利用者の利用者識別情報と、当該利用者の顔画像データとを含む利用者情報を記憶するデータ記憶部６００と、カラオケ歌唱を希望する楽曲の楽曲識別情報と、当該楽曲のカラオケ歌唱を希望する利用者の利用者識別情報とを含む予約情報を予約待ち行列に登録することにより、楽曲の予約を行う予約処理部７００と、カラオケ装置Ｋ１から顔撮影データを受信した場合、データ記憶部６００に当該顔撮影データと一致する顔画像データが記憶されているかどうかを判断する判断部８００と、一致する顔画像データが記憶されている場合、当該顔画像データに対応したある利用者が楽曲の予約を行っているかを確認する予約確認部９００と、を有する。そして、カラオケ装置Ｋ２の予約処理部７００は、ある利用者が楽曲の予約を行っている場合、当該ある利用者が行った楽曲の予約を取り消し、且つ顔撮影データを送信したカラオケ装置Ｋ１に対して、当該楽曲の予約情報を送信する。一方、カラオケ装置Ｋ１の予約処理部３００は、カラオケ装置Ｋ２の予約処理部７００が送信した予約情報に基づいて楽曲の予約を行う。
【００５７】
このようなカラオケシステム１によれば、部屋Ｒ１に設置されたカラオケ装置Ｋ１で楽曲の予約を行った利用者がカラオケ歌唱を行う前に部屋Ｒ２に移動した場合であっても、部屋Ｒ２に設置されたカラオケ装置Ｋ２において、カラオケ装置Ｋ１で予約した楽曲が自動的に登録される。従って、利用者は、部屋を移動した場合であっても、移動先で新たに予約作業を行うことなく、カラオケ歌唱を楽しむことができる。すなわち、本実施形態に係るカラオケシステム１によれば、ある部屋のカラオケ装置で楽曲を予約した利用者が他の部屋に移動した場合に、他の部屋のカラオケ装置で同じ楽曲の予約を自動的に行うことができる。
【００５８】
＜変形例＞
利用者が部屋を移動した場合、ログイン処理部１００及びログイン処理部５００は、当該利用者についてカラオケシステム１に対するログイン・ログアウトを自動で行うようにしてもよい。
【００５９】
すなわち、他のカラオケ装置のログイン処理部５００は、他のカラオケ装置の予約処理部７００が予約情報を送信する際に、当該予約情報に含まれる利用者識別情報に対応する利用者をカラオケシステム１からログアウトさせる処理を行う。一方、一のカラオケ装置のログイン処理部１００は、一のカラオケ装置の予約処理部３００が予約情報を受信した際に、当該予約情報に含まれる利用者識別情報に対応する利用者をカラオケシステムにログインさせる処理を行う。
【００６０】
図８を参照して、具体的な処理について説明する。図８は、カラオケシステム１における処理例を示すフローチャートである。この例では、複数の利用者からなる一のグループで、部屋Ｒ１に設置されたカラオケ装置Ｋ１、及び部屋Ｒ２に設置されたカラオケ装置Ｋ２を利用する。また、各利用者は、カラオケ装置Ｋ１またはカラオケ装置Ｋ２においてログイン処理を済ませている。
【００６１】
上記実施形態の例において、ログイン処理部５００は、予約処理部７００が利用者Ｕ６の予約情報をカラオケ装置Ｋ１に送信する際、データ記憶部６００から利用者Ｕ６の利用者情報を読み出し、リモコン装置を介してサーバ装置Ｓに利用者Ｕ６の利用者情報を含むログアウト要求を送信する（利用者情報とログアウト要求を送信。ステップ２０）。
【００６２】
サーバ装置Ｓは、リモコン装置から受信したログアウト要求に含まれる利用者ＩＤに基づいて、利用者情報記憶部１０ａに記憶された利用者Ｕ６の利用者情報を更新することでログアウトを完了する（利用者情報の更新（ログアウト）。ステップ２１）。
【００６３】
一方、カラオケ装置Ｋ２は、予約情報と利用者Ｕ６がカラオケシステム１にログインする際にリモコン装置で入力したパスワードを、カラオケ装置Ｋ１に送信する（予約情報とパスワードを送信。ステップ２２）。
【００６４】
カラオケ装置Ｋ２から予約情報及びパスワードを受信した場合、カラオケ装置Ｋ１のログイン処理部１００は、リモコン装置を介して予約情報に含まれる利用者Ｕ６の利用者ＩＤ、パスワード、及びカラオケ装置Ｋ１の装置ＩＤを含むログイン要求を行う（利用者ＩＤ及びパスワードを含むログイン要求を送信。ステップ２３）。
【００６５】
サーバ装置Ｓは、カラオケ装置Ｋ１からのログイン要求に基づいて、受信した利用者ＩＤ及びパスワードに対応する利用者情報を利用者情報記憶部１０ａから読み出し、受信した装置ＩＤに対応するカラオケ装置Ｋ１に送信する。サーバ装置Ｓが利用者情報を送信することにより、利用者Ｕ６のカラオケシステム１へのログインが完了する（利用者情報の送信（ログイン）。ステップ２４）。データ記憶部２００はサーバ装置Ｓから受信した、利用者Ｕ６の利用者識別情報（利用者ＩＤ）と、当該利用者の顔画像データとを含む利用者情報を記憶する。
【００６６】
このようなカラオケシステム１によれば、ある部屋のカラオケ装置で楽曲を予約した利用者が他の部屋に移動した場合に、他の部屋のカラオケ装置で同じ楽曲の予約を自動的に行うことと併せて、カラオケシステム１へのログイン・ログアウトを自動的に行うことができる。従って、利用者は一旦カラオケシステム１にログインを行えば、部屋を移動した場合であっても、都度ログイン・ログアウトを行う必要がない。
【００６７】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００６８】
１  カラオケシステム
１００、５００  ログイン処理部
２００、６００  データ記憶部
３００、７００  予約処理部
４００  データ送信部
８００  判断部
９００  予約確認部
Ｋ１、Ｋ２  カラオケ装置
Ｓ  サーバ装置
【図１】
2019191482.tif 000003
【図２】
2019191482.tif 000004
【図３】
2019191482.tif 000005
【図４】
2019191482.tif 000006
【図５】
2019191482.tif 000007
【図６】
2019191482.tif 000008
【図７】
2019191482.tif 000009
【図８】
2019191482.tif 000010